(57)【要約】【課題】哺乳瓶（１０）は容器（１６）と、乳首（１２）と、回し嵌め式留め輪（１４）とを含み、回し嵌め式留め輪（１４）は乳首（１２）を容器（１６）に回し留めし、かつ、容器（１６）を密閉する。【解決手段】ベントアセンブリ（１８）は乳首（１２）と容器（１６）との間に取り付けられ、容器（１６）の基部に近い位置に下方に通過する通気管（２２）を有し、乳首（１２）への吸引がなされた際には空気が容器（１６）内部を通過することを可能にするが、窒息防止部材と協働する弁フランジ（３６）とともに、通気管（２２）への液体の流れを、防止する逆止弁（３４）を有する。【選択図】図１
2007515976.tif 000002
【特許請求の範囲】
【請求項１】
哺乳瓶であって、範囲が１ミリバールから２５ミリバールの、好ましくは５ミリバールから１５ミリバール、最も好ましくは１０ミリバールの負の圧力で通気するように構成された通気弁を有する容器を含む哺乳瓶。
【請求項２】
前記通気弁は空気流入端部から前記容器に延在する空気管路の最端部に設けられた請求項１に記載の哺乳瓶。
【請求項３】
前記通気弁はダックビル弁を含む請求項１または２に記載の哺乳瓶。
【請求項４】
前記通気弁は半球状の弁を含む請求項１または２に記載の哺乳瓶。
【請求項５】
容器と、空気流入端部から前記容器に延在する空気管路とを含み、かつ最端部には通気弁を有する哺乳瓶であって、前記通気弁は前記容器内の液体頭部の圧力により閉鎖し、かつ前記容器に加えられる負の圧力下で開くように構成された哺乳瓶。
【請求項６】
哺乳瓶であって、圧力差が１ミリバールから２５ミリバール、好ましくは５ミリバールから１５ミリバール、最も好ましくは１０ミリバールで加えられると通気位置に開くように配置された通気弁を有する容器を含む哺乳瓶。
【請求項７】
容器と、空気流入端部から前記容器に延在する空気管路を有し、かつ最端部には逆止弁を有するエアーベントアセンブリとを含む哺乳瓶であって、前記空気管路はさらに、前記最端部の前記空気管路から後方に延在する窒息防止部分を備える哺乳瓶。
【請求項８】
前記窒息防止部分は前記逆止弁に取り付けられている請求項７に記載の哺乳瓶。
【請求項９】
前記窒息防止部分と弁とは一体に形成され、かつ前記空気管路に着脱可能に取り付けられている請求項８に記載の哺乳瓶。
【請求項１０】
前記ベントアセンブリはさらに前記容器の開口部に対して密封可能である密封部分を含み、前記密封部分は前記容器と前記マウスピースとの間に液体経路を含む請求項７ないし９のいずれかに記載の哺乳瓶。
【請求項１１】
前記密封部分はさらに、前記空気管路に空気経路を提供する通気経路を含む請求項１０に記載の哺乳瓶。
【請求項１２】
哺乳瓶であってさらに、前記空気管路に空気経路を提供する管路部材を有する乳首を含む請求項７ないし９のいずれかに記載の哺乳瓶。
【請求項１３】
哺乳瓶であってさらに、前記空気管路に空気経路を提供する空気管路部材を有する支持部材を含む請求項７ないし９のいずれかに記載の哺乳瓶。
【請求項１４】
液体経路と、通気経路とを別途に有する密封部分を含む哺乳瓶ベントアセンブリであって、空気管路部は、前記通気経路および前記空気管路上に取り付けられた逆止弁に連通する哺乳瓶ベントアセンブリ。
【請求項１５】
器であって、空気管路部材と連通する空気流入開口部と、前記空気管路部材と連通する空気管路部と、を有する吸乳または飲用閉鎖部を含む器。
【請求項１６】
請求項１４に記載のベントアセンブリを含む哺乳瓶。
【請求項１７】
容器と、前記容器上に取り付けられるマウスピースと、エアーベントアセンブリとを含み、空気管路部は空気流入端部から前記容器に延在する空気管路を有し、かつ最端部には逆止弁を有する器であって、前記空気管路部はさらに、最端部の前記空気管路部から後方に延在する窒息防止部分を有する器。
【請求項１８】
弁と、前記弁に取り付けられた窒息防止部分とを含む哺乳瓶弁構体。
【請求項１９】
器であって、負の圧力が１ミリバールから２５ミリバール、好ましくは５ミリバールから１５ミリバール、最も好ましくは１０ミリバールの範囲で通気するように構成された通気弁を有する容器を含む器。
【請求項２０】
半球状の弁であって、壁厚は０．３ｍｍから０．７ｍｍ、最も好ましくは０．５ｍｍであって、半径が２ｍｍから５ｍｍであって最も好ましくは３．５ｍｍであって、この内部を通る液体の経路の細長い開口部の寸法は２．５ｍｍから４．０ｍｍである半球状の部材を含む半球状の弁。
【請求項２１】
半球状の弁であって、前記半球状の部材は、３０から６０のショアＡ硬さを有する材料から製作されている請求項２０に記載の半球状の弁。
【請求項２２】
請求項２０または２１に記載の半球状の弁を有する乳首。
【請求項２３】
乳首であって、前記半球状の弁は内部を通る液体の経路を可能とするために前記乳首の頂上に載置された請求項２２に記載の乳首。
【請求項２４】
乳首であって、前記半球状の弁は内部を通る空気の経路を可能とするためにフランジ部分上に載置された請求項２２に記載の乳首。
【請求項２５】
図面を参照にして本願明細書にて実質的に上述された哺乳瓶、ベントアセンブリ弁または飲用容器。
【発明の詳細な説明】
【技術分野】
【０００１】
本発明は、哺乳瓶に関し、例えば通気された哺乳瓶に関する。
【背景技術】
【０００２】
従来の哺乳瓶は、容器と、回し嵌め式留め輪により容器に保持される乳首から構成される。従来の哺乳瓶に付随する問題は、幼児が乳首を吸引すると、容器内には負の圧力が蓄積されるため、吸乳は次第に難しいものとなり、腹痛などの問題を生じさせる可能性がある。
【発明の開示】
【発明が解決しようとする課題】
【０００３】
かかる問題を緩和するために、例えば空気の進入を可能にする弁などの様々な解決策が提案されてきた。解決策の一例は欧州出願特許第０８４５９７１号に開示されている。かかる文献によると哺乳瓶は、上端部に空気への通気部と連通する貯蔵管部を備える。貯蔵管部は球状の上部貯蔵部を有し、空気管が通気部から下方に突出して貯蔵部内部に入る。空気管路部は貯蔵部から、容器の底部に近い点に下方に突出する。容器は垂直になされた状態において貯蔵部の高さ近くまで液体が注がれる。容器は逆になされると、空気管路部の端部は液体の水平面上に突出し、これまで空気管路部内にあった液体は貯蔵部に流入して、空気管の端部下に配置される。結果として空気の経路が、空気管を介して通気部から貯蔵部内へ設けられるとともに、空気管路部を介して瓶へと設けられ、このために幼児が吸引する際に、圧力の均衡化が得られる。しかしながら、この配置には種々の不都合がある。第１に、非常に複雑な配置が必要とされる。さらに弁が設けられていないため、授乳中に例えば幼児が乳首を噛んで乳首を変形した場合などには、抵抗が弱くなり、乳首から液体が押し出される。
【０００４】
別の方法が米国特許出願第６４９９６１５号に開示されているが、これは角度をつけた首部と弁を設けた通気管とを含むものである。これもまた複雑で専用の構成部品が必要となり、この構造のために洗浄が困難であり、かつ多数の細かい部品が含まれていることにより窒息の危険さえある。
【０００５】
さらに、公知の弁を有する通気された哺乳瓶では、瓶から授乳している間に瓶内部の圧力が正負間で変動する。授乳中に乳児が乳首を噛んだり押し縮めたりすると、この行為によりミルクが哺乳瓶内に押し戻されるにつれ瓶内部に正の圧力が生成され、弁に作用して弁を閉鎖するとともに、ミルクを乳首の外へと流出させる。乳児が瓶からさらにミルクを引き出すために吸引を行なうと、ミルクが供給されるにつれ瓶内には負の圧力が引き起こされ、これにより管の端部の弁が開いて空気が瓶内部に入ることが可能になる。しかしながら公知のシステムでは、弁が開いて空気が弁に入りうる前に、比較的大きい負の圧力が必要であり、このために乳児は圧力均衡化がなされる前に不自然なほど強い吸引をしなければならない。したがって公知のシステムはより自然な授乳を再現するものではない。
【課題を解決するための手段】
【０００６】
本発明は請求項で詳述される。弁が開く圧力は最小限に抑えられているため、乳児の吸乳に付随して極めて低い負の圧力で弁は通気が可能であり、この結果瓶は自然な母乳での授乳に近い哺乳瓶を提供する。
【０００７】
さらに、窒息防止部分が提供されるため、授乳時の危険は低減され、かかる窒息防止部分は有用な攪拌／混合部材を提供することが見出された。またさらに、液体経路および通気経路として提供される密封部分を有する哺乳瓶導入部を提供することにより、簡単で規格化された構造が提供される。
【０００８】
本発明の実施形態は、例を用いて図面を参照することにより後述される。
【発明を実施するための最良の形態】
【０００９】
図１を参照すると、１０で全体が示された哺乳瓶は、容器１６上にねじ回し留め輪１４により取り付けられた乳首１２を含む。従来どおり、回し留め輪１４は中央のオリフィス部を含み、これを介して乳首が突出する。乳首は容器と同様の径を有するフランジ部を含み、これにより留め輪が回し込まれると、乳首のフランジ部上の回し留め輪の圧力により密封部が形成される。
【００１０】
哺乳瓶１０はさらに首導入部の形状のベントアセンブリを含み、これは頭部２０と、頭部分から下方へ突出する通気管２２とを有する。頭部２０は、容器１６と乳首１２との間に連通を提供する液体管路部２４を含み、哺乳瓶が逆にされると、液体は液体管路部２４を介して容器から乳首内に入り、乳児は飲むことができる。液体管路部２４から分離された頭部はまた、一端部を通気管２２に、他方の端部を空気に連通する空気経路２６を含む。
【００１１】
頭部２０は容器と同様の径を有する上部フランジ部２８を含み、容器の唇部に嵌合するように配置されて、上述されたように乳首１２のフランジ部が回し留め輪１４により押下されて、液体が入らないような状態に保持される。フランジ部２８は十分な厚みを有し、概ね放射状に延在する孔が、空気経路２６を設ける円筒状の側壁から内方に形成されることを可能にする。空気経路は留め輪１４のねじ山を介して空気に対して開放されており、かつ首部導入フランジ部２８により容器１６の唇部に対して形成された密封部のおかげで、液体経路を通さないように密封されている。
【００１２】
空気経路２６は、他端部が頭部２０の下方面上に設けられた形成部３０と連通し、頭部２０は開放式チャンバを有し、チャンバには通気管２２が空気を通さないように押し込まれて嵌合している。通気管２２は容器の底部近くに下方に延在しており、かつその下方端部には逆止弁３４を含む。図示された実施形態において、弁３４は公知のダックビル弁を含み、この弁により空気の経路が容器内部に向かう一方向となされ、液体の流れが反対方向の通気管２２に向かうことを防止する。通気管２２の下方端部３２にはまた、弁フランジ部３６が設けられて、図示された実施形態において弁３４と一体に形成され、かつ双方は押し嵌合されるかまたは、通気管２２と空気を通さないように連結されている。
弁フランジ部３６は例えばリング部を通気管２２の周りおよび同心円上に形成し、かつ羽弁またはリブ部により連結されてもよい。弁フランジ部により、改良された混合を可能にするとともに、弁３４が任意の理由により取り外されなければならない場合が生じた際には、窒息の危険を防止することができる。
【００１３】
使用時には、首部導入部１８は弁３４とフランジ部３６とを通気管２２に嵌合することにより、かつ通気管の他方の端部を頭部２０の対応する形成部３０に嵌合することにより組み立てられ、あるいは予めこのように組み立てられたものを用いる。容器１６は満たされ、かつ首部導入部１８は容器１６の上部唇部上に配置される。乳首１２は次いで首部導入部１８の頂部に配置され、上記に詳細が説明されたように留め輪１４を回し嵌めすることによりアセンブリが液体密封される。混合が必要な際には弁フランジ部３６のおかげで、より容易になされる。容器が逆になされると、液体は容器１６から首部導入部１８内の液体管路部２４を介して、乳首１２に流れこむ。乳児が乳首１２を吸引すると、容器内の圧力低下を招き、空気が空気経路２６、通気管２２、弁３４を介して容器内に入り、圧力が均衡化されるとともに真空蓄積が大幅に低減する。
【００１４】
図２を参照すると、首部導入部１８の頭部２０がより詳細に示されている。図示されるように頭部は、略ディスク形状でかつ容器１６（図示されず）の首部の周りに密封部を設けるフランジ部２８と、フランジ部の平面部に対して垂直な方向に液体管路部２４とを含む。空気経路２６はフランジ部２８の円筒形の壁部を貫通して通常はフランジ部２８の中央部に達し、形成部３０と通気管２２（図示せず）に経路を提供する。
【００１５】
図３ａないし３ｅを参照すると、弁３４および弁フランジ３６の詳細が示されており、特に、リング形状のまたは他の形状のフランジ３６が設けられて、図示されるように例えば開口された羽弁３７により弁３４が取り付けられた中央ハブ３５から延在するスポークのおかげで、このフランジ３６は任意の適切な態様で取り付けられている。
【００１６】
図４ａ、４ｂ、４ｃは、本発明の実施形態において実施されてもよい他の一方行の通気弁を示す。半球状の弁４０は、中央の細長い開口４１を有する半球形状の薄膜を含み、これにより空気が中を通る経路が可能となる。十文字形などの任意の適切な切り込みもまた可能である。細長い開口または切り込みは低圧通気および高圧密封を可能にするような大きさになされる。
【００１７】
図４ａないし４ｃの半球状の弁はまた他の適用分野に用いられてもよい。たとえば、乳首の頂上に配置して液体が内部を通過できるようにしてもよいし、あるいは乳首のフランジ部上に配置して空気が内部を通過できるようにしてもよい。
【００１８】
弁３４または４０の大きさ、材料および構造は、ボトルにとって自然な授乳行為を得る点において特に重要である。現在公知の弁システムは大抵、約５０ミリバール（ミリバール）で乳首の通気が可能であるが、これはたとえば剛性により細長い開口部を取り囲む弁壁部の弾力性により決められる閉鎖力によるものである。この結果として使用に際しては、通気が行なわれる前に乳児は不自然に高い吸引力を使わなければならず、このことにより問題が生じるとともに、その吸引行為は自然の授乳時に必要とされるものより強大なものとなる。しかしながら公知のシステムにおいては、このように高い弾力性閉鎖力は、例えば乳児が乳首に絞り圧力を加えた場合には、通気管内部にミルクを確実にもらさないために必要とされる。
【００１９】
また他方、本発明にしたがった弁３４または４０は、負の圧力が１から２５ミリバールの範囲であるように、より好ましくは５から１５ミリバール、最も好ましくは１０ミリバールであるように構成されており、これにより乳児が哺乳瓶から吸引した場合、十分に弁を開いて通気を可能にし、乳児による吸引を大幅に低減するとともにより自然な授乳行為が得られる。本発明によると、このことは特に以下の認識に基づいてなされる。哺乳瓶が垂直な状態（ひいては弁がミルクに含浸されている場合）にのみ、ミルクが弁および通気管へ漏れることを防止する必要があり、一方で乳児が乳首を吸引しているときには哺乳瓶は上下が逆になっており、弁はミルクの水平面より上に位置されている。ミルクに含浸されて弁が開いている場合でさえも、液体は弁および通気管に入りこまない。したがって本発明は、弁にとって必要とされる弾力性閉鎖力はより小さくてすむと認識するが、これは哺乳瓶が垂直に立てられた場合には、瓶内のミルクにより加えられた圧力の結果として、弁の両側にさらなる力が加えられるためである。この力は、弁および通気管への漏れを防止するのに十分なさらなる閉鎖力を提供する。
【００２０】
したがってこの位置が上下逆である哺乳瓶から乳児が飲む場合には、弁の持つ弾力性閉鎖力はより小さいために、弁はより低い負の圧力下で開き、この結果としてより自然な授乳行為がなされる。
【００２１】
本願明細書を読む当該技術に携わる者であれば適切なダックビル弁または半球状の弁を製作して、ルーチンの試行および実験を用いて上述された基準を満たすことができることを理解されたい。このことはたとえば壁部または薄膜の厚さひいては弁の剛性を変更したり、あるいは所望の圧力での通気を得るために適切な負の圧力を加えたりすることにより、ならびに／もしくは乳児の飲むミルクまたは他の流体の濃度と同様の液体に、例えば５から１０ｃｍの圧力の適切な頭部を有する弁を含浸することにより可能となる。弁は例えば５ｍｍの低い頭部の圧力でも閉じられたままで製作されることが好ましい。
【００２２】
図３ａないし図３ｅに関して示される具体的な実施形態において弁は通常、３０から６０のショアＡ硬さを有するシリコーンゴムで形成され、これはＧＥ、Ｂａｙｅｒ、Ｄｏｗ、Ｗａｃｋｅｒ、Ｒｈｏｎｅ  Ｐｏｕｌｅｎｃなどの任意のシリコーン業者より入手できる。
液体シリコーンおよび圧縮成形シリコーンの等級は双方とも、くりかえされる熱滅菌法で重要な熱高熱安定性を提供するものであるため、本発明にとって適切である。他の等級もまた適切である。弁壁の弁は厚みが０．５ｍｍである。前面から見るとダックビル弁は、高さが１０．０ｍｍ、底部が８．０ｍｍの逆三角形の形状を形成する。側面から見るとダックビル弁は、断面が幅７．０ｍｍの略矩形である。細長い開口は長さ２．５ｍｍから４ｍｍの切り込みにより弁の出口端部に形成されている。この構成により所望の動作範囲が得られるとともに、特にわずか１０ミリバールの負の圧力下で開くことができる性能が得られることが見出された。
【００２３】
図４ａないし図４ｃに関連して示される具体的な実施形態において半球状の弁は通常、３０から６０のショアＡ硬さを有するシリコーンゴムで形成され、これはＧＥ、Ｂａｙｅｒ、Ｄｏｗ、Ｗａｃｋｅｒ、Ｒｈｏｎｅ  Ｐｏｕｌｅｎｃなどの任意のシリコーン業者より入手できる。液体シリコーンおよび圧縮成形シリコーンの等級は双方とも、くりかえされる熱滅菌法で重要な熱高熱安定性を提供するものであるため、本発明にとって適切である。他の等級もまた適する。高温密閉用の半球状の弁４０の要となる寸法は、その半径、壁厚、中央の細長い開口部４１の長さおよび材料の柔軟性である。半球状の弁は半径が２ｍｍから５ｍｍであり、最も好ましくは３．５ｍｍであり、かつ壁厚は０．３ｍｍから０．７ｍｍであり、最も好ましくは０．５ｍｍである。中央の細長い開口部の寸法は、２．５ｍｍから４．０ｍｍの範囲である。この構成により低い水平面での吸引が得られるが、この構成はまた漏れなしで沸点温度までの液体に対する圧力に耐える本質的に十分強いものであることが判明した
【００２４】
図５ａおよび図５ｂは、他の空気入れシステムを有する本発明の第２の実施形態を示す。
空気経路は乳首１２のフランジ部上の空気流入開口部５１により形成され、かつ空気管路部材５０は乳首から下方に突出する。空気管路部材５０は空気と通気管２２との間の連通を提供するが、この通気管は空気を通さない押し嵌合により、空気管路部材に取り付けられる。空気管路部材５０は乳首１２のフランジ部上に形成されてもよく、これは例えば乳首開孔５１で乳首から下方に突出する茎部の形状によりなされてもよい。乳首１２は容器１６に回し嵌め式留め輪１４により取り付けられる。
【００２５】
本発明の第３の実施形態において、図６で示されるように、空気管路部材５６は、例えば密閉リング５２の形状で支持部材上に一体的に形成される。空気管路部材５６は、密閉リング５２の下方に突出する。密閉リング５２は容器１６と同様の径を有し、容器の唇部に嵌合して配置されて、乳首１２のフランジ部が回し留め輪１４により押下されて、液体が入らないような状態に保持される。密閉リング５２はさらに、乳首１２のフランジ部に支持部を設ける。乳首１２のフランジ部には凹部５５が形成され、乳首の空気流入開口５３につながっている。フランジ凹部５５と回し嵌め式留め輪１４との間には空気経路が形成され、これにより周辺部から、乳首のフランジ部の開孔５３を介して空気が通過できるようになるが、破線矢印５４で示されるように、空気経路は密閉リング５２上の管路部材５６上に、かつ管路部材５６は通気管２２に適切に一直線に並べられる。
通気管は空気を通さない押し嵌合により、空気管路部材５６に取り付けられる。
【００２６】
図７ａないし図７ｄは、他の哺乳瓶導入頭部７０を示す。図示されるように頭部はスポーク部７３により、リム部７２に連結される。液体管路はハブ部７１とリム部７２およびスポーク７３との間の空間７４により形成される。液体管路は容器１６と乳首１２との間の連通を提供し（いずれも図示せず）このため哺乳瓶が上下逆にされると、液体が容器から空間７４を介して乳首内に流れ込み、乳児は吸乳が可能になる。
【００２７】
スポーク７５のうちの少なくとも１つに十分な厚みがあれば、略放射状の孔がこの中に形成され、開放型のチャンバ７７に空気経路７６を提供する。空気経路７６は通気管２２と連通し（図示せず）、開放型のチャンバ７７に押し嵌合により取り付けられ、かつ頭部７０から下方に回し嵌め式留め輪１４（図示せず）のねじ山を介して、空気中に突出する。
【００２８】
略環状の形状をしたリム部７２の下側の環状の凹部７８は、頭部と容器１２（図示せず）との間に液体を通さない密封部を設ける。凹部７８は、内部表面７９が容器内部に嵌合し、かつ上部表面部８０が容器の唇部上に載置されるように形成される。
【００２９】
上述された哺乳瓶の種々の部分は、任意の適切な材料により製作されてもよいとともに、特に乳首１２、回し留め輪１４および容器１６は任意の標準の材料で製作されてもよいことを理解されたい。通気管２２は、たとえばプラスチック類などの概ね剛性で不活性の材料で製作されることが好ましく、かつ弁３４および４０は所望の目的にしたがってシリコーンゴムまたは他の適切な材料で製作されてもよい。フランジ部３６は混合および窒息防止機能を可能にする剛性のプラスチック材料で製作されることが好ましく、かつ必要に応じて弁３４および４０を備えた二個取成形であってもよい。上述された実施形態においては、種々の要素が容易に取り外しおよび洗浄ができる押し嵌合により連結されているが、任意の適切な連結の態様が採用されてもよく、必要に応じて種々の部分が一体的に形成されるかあるいは取り外し不可に形成されてもよい。頭部２０は半剛性の材料で製作されることが好ましく、これにより空気経路２６はフランジ部２８の変形により閉鎖されることが確実に避けられると同時に、容器の首部には高信頼性の液体を通さない密封部が設けられる。同様に第３の実施形態の支持部材は半剛性の材料で製作されることが好ましく、これにより空気管路部材５６は通気管２２に押し嵌合された場合、変形により閉鎖されることが確実に避けられると同時に、容器１６の首部には高信頼性の液体を通さない密封部が設けられる。
【００３０】
首部導入部１８は容器／回し留め輪に一体化されてもよく、あるいは洗浄目的で必要な場合は取り外されてもよい。特に首部導入部１８は標準の哺乳瓶に、簡単に規格化されて取り付けられ、かつ多くの場合には、既存の回し留め輪は首部導入部１８と協働して用いられてもよい。また首部導入部１８は適切な深さを有する留め輪を設けられて、優れたねじ山係合を確実なものにしてもよい。
【００３１】
本願明細書で示された構造により種々の利点がもたらされる。弁は極めて低圧で通気することにより自然な授乳を可能にする。通気管２２は基部で弁止めされているため、乳児が乳首を変形させて乳首から液体を押し出すことなく、容器内部の圧力均衡化が得られる。また、弁は液体密封部を提供するため、液体が首部導入部を介して容器側面に落ちて漏れる危険は全くなくなる。首部導入部には単純で規格化された構成が設けられる。弁フランジが追加されたおかげで、混合および攪拌が改良できる一方で、窒息の危険が防止できる。
【００３２】
上述されたダックビル弁または半球状の弁の代わりに任意のタイプの適切な弁が用いられてもよいことは当業者なら理解されるであろう。容器および種々の構成部分の寸法は必要に応じて変更されてもよく、かつ種々の構成要素の具体的な配置は必要に応じて再構成されてもよい。同様に弁フランジに関して他の任意の適切な形状および配置が適用されてもよい。上記の説明は哺乳瓶に関してなされてきたが、同様の方法は圧力均衡化を設けることを所望する任意のタイプのマウスピースあるいは給水または飲用閉鎖部を備えた任意の飲用器に用いられてもよい。
【図面の簡単な説明】
【００３３】
【図１】本発明の第１の実施形態における哺乳瓶を示す部分斜視図である。
【図２】図１に示される哺乳瓶の導入部の詳細を示す部分図である。
【図３ａ】本発明の実施形態における弁と弁フランジアセンブリとを示す部分透視図である。
【図３ｂ】図３ａの弁と弁フランジアセンブリとを示す上面平面図である。
【図３ｃ】図３ａの弁と弁フランジアセンブリとを示す前面図である。
【図３ｄ】図３ａの弁と弁フランジアセンブリとを示す側面図である。
【図３ｅ】図３ａの弁と弁フランジアセンブリとを示す底面平面図である。
【図４ａ】本発明の一実施形態における他の弁と弁フランジアセンブリとを示す斜視図である。
【図４ｂ】図４ａの弁と弁フランジアセンブリとを示す底面平面図である。
【図４ｃ】図４ａの弁と弁フランジアセンブリとを示す側面図である。
【図５ａ】本発明の第２の実施形態における哺乳瓶を示す部分側面図である。
【図５ｂ】本発明の第２の実施形態における乳首を示す上面平面図である。
【図６ａ】本発明の第３の実施形態における哺乳瓶の詳細を示す部分側面図である。
【図６ｂ】本発明の第３の実施形態における乳首を示す平面図である。
【図７ａ】他の哺乳瓶の頭部部分を示す平面図である。
【図７ｂ】図７ａの哺乳瓶頭部部分を線Ａ-Ａに沿って示した側面図である。
【図７ｃ】図７ａの哺乳瓶頭部部分を線Ｂ-Ｂに沿って示した側面図である。
【図７ｄ】図７ａの哺乳瓶頭部部分を示す斜視図である。
【国際調査報告】
2007515976.tif 000003
2007515976.tif 000004
2007515976.tif 000005
2007515976.tif 000006
2007515976.tif 000007
2007515976.tif 000008